(57)【要約】      （修正有）【課題】長さ特定処理の実施中に第２コンタクトガラスとＡＤＦとの間から光を漏らしてしまうことによるユーザーの不快感をより軽減する。【解決手段】第２コンタクトガラスの上に原稿を置いたユーザーがＡＤＦを閉じ始めたことに基づいて、ＬＥＤアレイ１５２ａにおける複数のＬＥＤ素子１５２ａ’のうち、一部だけを点灯させながらＣＣＤによる受光量を取得した結果に基づいて、原稿の主走査方向の長さを特定するための長さ特定処理を実施する構成において、ＬＥＤアレイ１５２ａにおける複数のＬＥＤ素子１５２ａ’のうち、長さ特定処理で点灯されるＬＥＤ素子１５２ａ’の向きを、鉛直方向上方よりも装置本体の背面側に傾けた。【選択図】図９
2014179826.tif 000002
【特許請求の範囲】
【請求項１】
原稿を載置する原稿台と、前記原稿台の表面に向けて原稿を押さえる原稿押さえ手段と、前記原稿台の表面に沿った主走査方向に並ぶ複数の分割光源を具備する光源のそれぞれの分割光源から発した光を前記原稿台上の原稿に向けて照射して原稿面での反射光を得ながら、前記表面に沿いつつ主走査方向に直交する方向である副走査方向に移動する移動照射手段と、前記移動照射手段からの反射光を受光して原稿の画像を読み取る画像センサーと、複数の前記分割光源のうち、一部だけを点灯させながら前記画像センサーによる受光量を取得した結果に基づいて、前記原稿の主走査方向の長さを特定するための長さ特定処理を実施する制御手段とを有する原稿読取装置において、
前記光源における複数の前記分割光源のうち、前記長さ特定処理で点灯される分割光源の向きを、鉛直方向上方よりも装置本体の背面側に傾けたことを特徴とする原稿読取装置。
【請求項２】
請求項１の原稿読取装置において、
前記長さ特定処理で点灯される前記分割光源の向きの鉛直方向上方に対する傾き角度を、半値角以上にしたことを特徴とする原稿読取装置。
【請求項３】
請求項１又は２の原稿読取装置であって、
鉛直方向上方によりも装置本体の背面側に傾けられる前記分割光源が、前記原稿台に載置された定型サイズの原稿における主走査方向の端部に対向する分割光源であることを特徴とする原稿読取装置。
【請求項４】
原稿の画像を読み取る原稿読取装置と、前記原稿読取装置による画像の読取結果に基づいて記録部材に画像を形成する画像形成手段とを備える画像形成装置において、
前記原稿読取装置として、請求項１乃至３の何れかの原稿読取装置を用いたことを特徴とする画像形成装置。
【発明の詳細な説明】
【技術分野】
【０００１】
本発明は、原稿の画像を画像センサーに読み取らせる原稿読取装置及びこれを用いる画像形成装置に関するものである。
【背景技術】
【０００２】
従来、この種の原稿読取装置としては、特許文献１に記載のものが知られている。この原稿読取装置は、原稿台ガラスに対して開閉動作可能な原稿圧板や、原稿台ガラスの表面に沿った主走査方向に並べられた複数のＬＥＤ素子を具備するＬＥＤアレイを搭載した光学台などを備えている。この光学台は、原稿台ガラスの上に載置された原稿の画像を光走査するために、原稿台ガラスの表面に沿った方向であり且つ主走査方向に直交する方向である副走査方向に移動できるようになっている。また、原稿圧板は、操作者によって原稿台ガラスに対して閉じられることで、原稿台ガラス上の原稿を原稿台ガラスに向けて押さえ付ける。この状態で操作者によって読取開始命令がなされると、原稿読取装置は、移動照射部たる光学台の複数のＬＥＤ素子から発した光をそれぞれ原稿に向けて照射して原稿面での反射光を得ながら、光学台を副走査方向に移動させる。そして、得られた反射光を画像センサーとしてのＣＣＤに受光させて原稿の画像を読み取らせる。
【０００３】
この原稿読取装置の制御部は、このようにして原稿の画像を読み取るのに先立って、原稿台ガラス上の原稿の主走査方向における長さを特定するための長さ特定処理を実施する。この長さ特定処理のために、原稿読取装置は、原稿圧板の近傍に、原稿圧板の開閉動作を検知する開閉センサーを具備している。操作者が原稿台ガラスの上に原稿を置くために原稿圧板を開くと、その開動作が開閉センサーによって検知される。原稿読取装置の制御部は、原稿圧板の開動作が検知されると、光学台を副走査方向における所定のホームポジションから原稿の先端部に対向する原稿サイズ検知位置まで移動させる。その後、開閉センサーによって原稿圧板の閉動作の開始が検知されると、次のような長さ特定処理を実行する。即ち、光学台のＬＥＤアレイに具備される複数のＬＥＤ素子のうち、定型サイズの原稿の主走査方向における端部に対向する位置にあるＬＥＤ素子を点灯させながら、ＣＣＤによる画像の読み取りを行う。そして、点灯させたＬＥＤに対応する画像箇所の明度（受光量）に基づいて、点灯させたＬＥＤ素子の真上における原稿の存否を判断し、その結果に基づいて原稿の主走査方向の長さを特定する。
【０００４】
特許文献１では、このような構成により、長さ特定処理の実施時にＬＥＤアレイの光をユーザーの目に入れてしまうことによる不快感を軽減することができるとしている。
【発明の概要】
【発明が解決しようとする課題】
【０００５】
不快感を軽減できる理由につき、特許文献１においては具体的な説明がないが、次の通りであると考えられる。即ち、操作者が原稿台ガラスの上に原稿を置いて原稿圧板を閉じ始めると、原稿読取装置が長さ特定処理を開始してＬＥＤ素子を点灯させ始める。その後、原稿圧板が完全に閉じられると、原稿の存在しない領域であっても、原稿を押さえている原稿圧板の表面がＬＥＤ光を良好に反射させることから、その領域に原稿が存在しているものと誤特定されてしまう。このため、長さ特定処理については、原稿圧板が閉じられ始めてから、完全に閉じられる前の期間で完了する必要がある。かかる期間では、原稿圧板が完全に閉じられていないことから、ＬＥＤ光が原稿台ガラスと原稿圧板との間から漏れてユーザーの目に入ってしまい易くなる。
【０００６】
特許文献１に記載の原稿読取装置においては、長さ特定処理で全てのＬＥＤ素子のうち、原稿の端部位置に対応するＬＥＤ素子だけを点灯させることで、全てのＬＥＤ素子を同時に点灯させる場合に比べて光量を少なくする。これにより、原稿台ガラスと原稿圧板との間から同時に漏れてしまう光の量を低減して、ユーザーの不快感を低減することができるものと考えられる。
【０００７】
しかしながら、原稿台ガラスと原稿圧板との間から同時に漏れる光を完全に無くすことはできず、どうしても光を漏らしてしまうことから、多少なりともユーザーに不快感を与えてしまうことになる。
【０００８】
本発明は、以上の背景に鑑みてなされたものであり、その目的とするところは、次のような原稿読取装置や画像形成装置を提供することである。即ち、長さ特定処理の実施中に原稿台と原稿圧板等の原稿押さえ手段との間から光を漏らしてしまうことによるユーザーの不快感をより軽減することができる原稿読取装置等である。
【課題を解決するための手段】
【０００９】
上記目的を達成するために、本発明は、原稿を載置する原稿台と、前記原稿台の表面に向けて原稿を押さえる原稿押さえ手段と、前記原稿台の表面に沿った主走査方向に並ぶ複数の分割光源を具備する光源のそれぞれの分割光源から発した光を前記原稿台上の原稿に向けて照射して原稿面での反射光を得ながら、前記表面に沿いつつ主走査方向に直交する方向である副走査方向に移動する移動照射手段と、前記移動照射手段からの反射光を受光して原稿の画像を読み取る画像センサーと、複数の前記分割光源のうち、一部だけを点灯させながら前記画像センサーによる受光量を取得した結果に基づいて、前記原稿の主走査方向の長さを特定するための長さ特定処理を実施する制御手段とを有する原稿読取装置において、前記光源における複数の前記分割光源のうち、前記長さ特定処理で点灯される分割光源の向きを、鉛直方向上方よりも装置本体の背面側に傾けたことを特徴とするものである。
【発明の効果】
【００１０】
本発明においては、長さ特定処理で点灯される分割光源の向きが鉛直方向上方よりも装置本体の背面側に傾いていることから、その分割光源から発せられた後、装置本体の正面側に向かう光の量が、装置本体の背面側に向かう光の量よりも少なくなる。このため、長さ特定処理の実施中に、原稿台と原稿押さえ手段との隙間を通って装置本体の正面側に漏れる光の量がより少なくなる。通常、ユーザーは装置本体の正面側に立って操作を行うことから、正面側に漏れる光の量をより少なくすることで、ユーザーの不快感をより軽減することができる。
【００１１】
なお、鉛直方向上方よりも背面側に傾けた分割光源によってその真上の原稿箇所に照射される光の量は、傾けない分割光源に比べて減少するが、その減少は、次に説明する理由により、読取画像の画質には殆ど影響を及ぼさない。即ち、通常、原稿読取装置は、光源の発光ムラなどによる照射光量のムラの影響を取り除くためのシェーディング補正を実施するようになっており、このシェーディング補正により、前述の光量の減少に起因する読取画像の明度の低下が補正されるからである。
【図面の簡単な説明】
【００１２】
【図１】実施形態に係る複写機を示す斜視図。
【図２】同複写機を示す概略構成図。
【図３】同複写機における画像形成部の内部構成の一部を拡大して示す部分構成図。
【図４】同画像形成部における４つの作像ユニットからなるタンデム部の一部を示す部分拡大図。
【図５】同複写機における画像読取ユニットを示す斜視図。
【図６】同画像読取ユニットのスキャナの移動照射部に搭載されたＬＥＤアレイを示す斜視図。
【図７】同スキャナの第２コンタクトガラス上に載置される原稿の位置と、原稿のサイズと、ＬＥＤアレイの点灯ブロックとを説明するための平面模式図。
【図８】同スキャナにおける電気回路の一部を示すブロック図。
【図９】ＬＥＤアレイ及び第２コンタクトガラスを示す断面図。
【図１０】同ＬＥＤアレイを示す部分拡大縦断面図
【図１１】ＬＥＤアレイのＬＥＤ素子を鉛直方向の真上に向けた場合における光の分布を示す模式図。
【図１２】ＬＥＤ素子を鉛直方向の真上よりも背面側（後側）に傾けた場合における光の分布を示す模式図。
【図１３】ＬＥＤ素子の配光分布を示す模式図。
【図１４】載置態様特定処理において読み取られた画像の明度と主走査方向の位置との関係を示すグラフ。
【図１５】同スキャナを上方から示す平面図。
【図１６】同スキャナの読取制御部の内部構成を示すブロック図。
【図１７】第１変形例に係る複写機のＬＥＤアレイを示す部分拡大縦断面図。
【図１８】第２変形例に係る複写機のＬＥＤアレイを示す部分拡大縦断面図。
【発明を実施するための形態】
【００１３】
以下、本発明を、電子写真方式の複写機（以下、単に複写機という）に適用した実施形態について説明する。
まず、実施形態に係る複写機の基本的な構成について説明する。図１は、実施形態に係る複写機を示す斜視図である。この複写機は、画像形成装置としての画像形成部１と、シート供給装置４０と、画像読取ユニット５０とを備えている。画像読取装置としての画像読取ユニット５０は、画像形成部１の上に固定された原稿読取装置としてのスキャナ１５０と、これに支持されるシート搬送装置としての原稿自動搬送装置（以下、ＡＤＦという）５１とを有している。
【００１４】
図２は、実施形態に係る複写機を示す概略構成図である。同図において、画像形成部１のシート供給装置４０は、ペーパーバンク４１内に多段に配設された２つの給紙カセット４２、給紙カセットから記録シートを送り出す送出ローラ４３、送り出された記録シートを１枚ずつに分離する分離ローラ４５等を有している。また、画像形成部１の搬送路としての給紙路３７に対して、シート部材としての記録シートを搬送する複数の搬送ローラ対４６等も有している。
【００１５】
給紙カセット４２は、複数の記録シートを重ねたシート束の状態で内部に収容している。そして、一番上の記録シートに対して送出ローラ４３を押し当てている。送出ローラ４３が回転すると、シート束の一番上の記録シートが給紙カセット４２から送り出される。
【００１６】
給紙カセット４２の付近では、搬送ローラ対４６の第１搬送ローラと、これの側方（図２中右側方）に配設された第２搬送ローラとが互いに当接して搬送ニップを形成している。また、第１搬送ローラの下方には、分離ローラ４５が配設されており、第１搬送ローラに対して下方から当接して分離搬送ニップを形成している。
【００１７】
送出ローラ４３の回転駆動によって給紙カセット４２から送り出された記録シートは、搬送ローラ対４６の第１搬送ローラと、これの下方に配設された分離ローラ４５との当接による分離搬送ニップに進入する。この分離搬送ニップでは、記録シートの上面に当接する第１搬送ローラが図中反時計回り方向に回転駆動しながら、記録シートに対して給紙カセット４２側から給送路４４側に向かう搬送力を付与する。これに対し、記録シートの下面に当接する分離ローラ４５が図中反時計回り方向に回転駆動しながら、記録シートに対して給送路４４側から給紙カセット４２側に向かう搬送力を付与して、記録シートを給紙カセット４２に戻そうとする。
【００１８】
給紙カセット４２から記録シートが１枚だけの状態で送り出された場合、分離搬送ニップにおいて、第１搬送ローラと分離ローラ４５とが記録シートに対して互いに逆方向に向かう搬送力を付与する。これにより、分離ローラ４５の駆動伝達系に所定の閾値を超える負荷がかかる。すると、その駆動伝達系内に配設されたトルクリミッターが作動して、図示しないＤＣブラシレスモータからの駆動力の分離ローラ４５に対する伝達を切る。すると、分離ローラ４５が第１搬送ローラによって搬送される記録シートに連れ回るようになって、記録シートが分離搬送ニップから給送路４４に向けて排出される。
【００１９】
一方、給紙カセット４２から記録シートが複数枚重なった状態で送り出された場合、分離搬送ニップにおいて、第１搬送ローラが一番上の記録シートに対して給紙カセット４２側から給送路４４側に向かう搬送力を付与する。そして、一番上の記録シートを分離搬送ニップから給送路４４側に向けて送り出す。これに対し、分離ローラが下側に位置している記録シートに対して給送路４４側から給紙カセット側に向かう搬送力を付与して、下側の記録シートを分離搬送ニップ内から給紙カセット４２側に逆戻りさせる。これにより、分離搬送ニップでは、一番上の記録シートが他の記録シートから分離されて１枚の状態で給送路４４に送り出される。
【００２０】
給送路４４に進入した記録シートは、搬送ローラ対４６の搬送ニップに進入して、鉛直方向下方側から上方側に向かう搬送力を付与される。これにより、給送路４４内では、記録シートが画像形成部１の給紙路３７に向けて搬送される。
【００２１】
画像形成手段としての画像形成部１は、光書込装置２、黒，イエロー，マゼンタ，シアン（Ｋ，Ｙ，Ｍ，Ｃ）のトナー像を形成する４つの作像ユニット３Ｋ，Ｙ，Ｍ，Ｃ、転写ユニット２４等を備えている。また、紙搬送ユニット２８、レジストローラ対３３、定着装置３４、スイッチバック装置３６、給紙路３７等も備えている。そして、光書込装置２内に配設された図示しないレーザーダイオードやＬＥＤ等の光源を駆動して、ドラム状の４つの感光体４Ｋ，Ｙ，Ｍ，Ｃに向けてレーザー光Ｌを照射する。この照射により、感光体４Ｋ，Ｙ，Ｍ，Ｃの表面には静電潜像が形成され、この潜像は所定の現像プロセスを経由してトナー像に現像される。
【００２２】
図３は、画像形成部１の内部構成の一部を拡大して示す部分構成図である。また、図４は、４つの作像ユニット３Ｋ，Ｙ，Ｍ，Ｃからなるタンデム部の一部を示す部分拡大図である。なお、４つの作像ユニット３Ｋ，Ｙ，Ｍ，Ｃは、それぞれ使用するトナーの色が異なる他はほぼ同様の構成になっているので、図４においては各符号に付すＫ，Ｙ，Ｍ，Ｃという添字を省略している。
【００２３】
作像ユニット３Ｋ，Ｙ，Ｍ，Ｃは、それぞれ、感光体とその周囲に配設される各種装置とを１つのユニットとして共通の支持体に支持するものであり、画像形成部１本体に対して着脱可能になっている。黒用の作像ユニット３Ｋを例にすると、これは、感光体４の周りに、帯電装置２３、現像装置６、ドラムクリーニング装置１５、除電ランプ２２等を有している。本複写機では、４つの作像ユニット３Ｋ，Ｙ，Ｍ，Ｃを、後述する中間転写ベルト２５に対してその無端移動方向に沿って並べるように対向配設した、いわゆるタンデム型の構成になっている。
【００２４】
感光体４としては、アルミニウム等の素管に、感光性を有する有機感光材の塗布による感光層を形成したドラム状のものを用いている。但し、無端ベルト状のものを用いても良い。
【００２５】
現像装置６は、図示しない磁性キャリアと非磁性トナーとを含有する二成分現像剤を用いて潜像を現像するようになっている。内部に収容している二成分現像剤を攪拌しながら搬送して現像スリーブ１２に供給する攪拌部７と、現像スリーブ１２に担持された二成分現像剤中のトナーを感光体４に転移させるための現像部１１とを有している。
【００２６】
攪拌部７は、現像部１１よりも低い位置に設けられており、互いに平行配設された２本の搬送スクリュウ８、これらスクリュウ間に設けられた仕切り板、現像ケース９の底面に設けられたトナー濃度センサー１０などを有している。
【００２７】
現像部１１は、現像ケース９の開口を通して感光体４に対向する現像スリーブ１２、これの内部に回転不能に設けられたマグネットローラ１３、現像スリーブ１２に先端を接近させるドクタブレード１４などを有している。現像スリーブ１２は、非磁性の回転可能な筒状になっている。マグネットローラ１３は、ドクタブレード１４との対向位置からスリーブの回転方向に向けて順次並ぶ複数の磁極を有している。これら磁極は、それぞれスリーブ上の二成分現像剤に対して回転方向の所定位置で磁力を作用させる。これにより、攪拌部７から送られてくる二成分現像剤を現像スリーブ１２表面に引き寄せて担持させるとともに、スリーブ表面上で磁力線に沿った磁気ブラシを形成する。
【００２８】
磁気ブラシは、現像スリーブ１２の回転に伴ってドクタブレード１４との対向位置を通過する際に適正な層厚に規制されてから、感光体４に対向する現像領域に搬送される。そして、現像スリーブ１２に印加される現像バイアスと、感光体４の静電潜像との電位差によってトナーを静電潜像上に転移させて現像に寄与する。更に、現像スリーブ１２の回転に伴って再び現像部１１内に戻り、マグネットローラ１３の磁極間に形成される反発磁界の影響によってスリーブ表面から離脱した後、攪拌部７内に戻される。攪拌部７内には、トナー濃度センサー１０による検知結果に基づいて、二成分現像剤に適量のトナーが補給される。なお、現像装置６として、二成分現像剤を用いるものの代わりに、磁性キャリアを含まない一成分現像剤を用いるものを採用してもよい。
【００２９】
ドラムクリーニング装置１５としては、弾性体からなるクリーニングブレード１６を感光体４に押し当てる方式のものを用いているが、他の方式のものを用いてもよい。クリーニング性を高める目的で、本例では、外周面を感光体４に接触させる接触導電性のファーブラシ１７を、図中矢印方向に回転自在に有する方式のものを採用している。このファーブラシ１７は、図示しない固形潤滑剤から潤滑剤を掻き取って微粉末にしながら感光体４表面に塗布する役割も兼ねている。ファーブラシ１７にバイアスを印加する金属製の電界ローラ１８を図中矢示方向に回転自在に設け、これにスクレーパ１９の先端を押し当てている。ファーブラシ１７に付着したトナーは、ファーブラシ１７に対してカウンタ方向に接触して回転しながらバイアスが印加される電界ローラ１８に転位する。そして、スクレーパ１９によって電界ローラ１８から掻き取られた後、回収スクリュウ２０上に落下する。回収スクリュウ２０は、回収トナーをドラムクリーニング装置１５における図紙面と直交する方向の端部に向けて搬送して、外部のリサイクル搬送装置２１に受け渡す。リサイクル搬送装置２１は、受け渡されたトナーを現像装置６に送ってリサイクルする。
【００３０】
除電ランプ２２は、光照射によって感光体４を除電する。除電された感光体４の表面は、帯電装置２３によって一様に帯電せしめられた後、光書込装置２による光書込処理がなされる。なお、帯電装置２３としては、帯電バイアスが印加される帯電ローラを感光体４に当接させながら回転させるものを用いている。感光体４に対して非接触で帯電処理を行うスコロトロンチャージャ等を用いてもよい。
【００３１】
図３において、４つの作像ユニット３Ｋ，Ｙ，Ｍ，Ｃの感光体４Ｋ，Ｙ，Ｍ，Ｃには、これまで説明してきたプロセスによってＫ，Ｙ，Ｍ，Ｃトナー像が形成される。
【００３２】
４つの作像ユニット３Ｋ，Ｙ，Ｍ，Ｃの下方には、転写ユニット２４が配設されている。ベルト駆動装置としての転写ユニット２４は、複数のローラによって張架した中間転写ベルト２５を、感光体４Ｋ，Ｙ，Ｍ，Ｃに当接させながら図３中時計回り方向に無端移動させる。これにより、感光体４Ｋ，Ｙ，Ｍ，Ｃと、無端状のベルト部材である中間転写ベルト２５とが当接するＫ，Ｙ，Ｍ，Ｃ用の１次転写ニップが形成されている。Ｋ，Ｙ，Ｍ，Ｃ用の１次転写ニップの近傍では、ベルトループ内側に配設された１次転写ローラ２６Ｋ，Ｙ，Ｍ，Ｃによって中間転写ベルト２５を感光体４Ｋ，Ｙ，Ｍ，Ｃに向けて押圧している。これら１次転写ローラ２６Ｋ，Ｙ，Ｍ，Ｃには、それぞれ図示しない電源によって１次転写バイアスが印加されている。これにより、Ｋ，Ｙ，Ｍ，Ｃ用の１次転写ニップには、感光体４Ｋ，Ｙ，Ｍ，Ｃ上のトナー像を中間転写ベルト２５に向けて静電移動させる１次転写電界が形成されている。図中時計回り方向の無端移動に伴ってＫ，Ｙ，Ｍ，Ｃ用の１次転写ニップを順次通過していく中間転写ベルト２５のおもて面には、各１次転写ニップでトナー像が順次重ね合わせて１次転写される。この重ね合わせの１次転写により、中間転写ベルト２５のおもて面には４色重ね合わせトナー像（以下、４色トナー像という）が形成される。
【００３３】
転写ユニット２４の図中下方には、駆動ローラ３０と２次転写ローラ３１との間に、無端状の紙搬送ベルト２９を掛け渡して無端移動させる紙搬送ユニット２８が設けられている。そして、自らの２次転写ローラ３１と、転写ユニット２４の下部張架ローラ２７との間に、中間転写ベルト２５及び紙搬送ベルト２９を挟み込んでいる。これにより、中間転写ベルト２５のおもて面と、紙搬送ベルト２９のおもて面とが当接する２次転写ニップが形成されている。２次転写ローラ３１には図示しない電源によって２次転写バイアスが印加されている。一方、転写ユニット２４の下部張架ローラ２７は接地されている。これにより、２次転写ニップに２次転写電界が形成されている。
【００３４】
この２次転写ニップの図中右側方には、レジストローラ対３３が配設されている。また、レジストローラ対３３のレジストニップの入口付近には、図示しないレジストローラセンサーが配設されている。図示しないシート供給装置からレジストローラ対３３に向けて搬送されてくる記録部材としての記録シートは、その先端がレジストローラセンサーに検知された所定時間後記録シートの搬送が一時停止し、レジストローラ対３３のレジストニップに先端を突き当てる。
【００３５】
記録シートの先願がレジストニップに突き当たると、レジストローラ対３３は、記録シートを中間転写ベルト２５上の４色トナー像に同期させ得るタイミングでローラ回転駆動を再開して、記録シートを２次転写ニップに送り出す。２次転写ニップ内では、中間転写ベルト２５上の４色トナー像が２次転写電界やニップ圧の作用によって記録シートに一括２次転写され、記録シートの白色と相まってフルカラー画像となる。２次転写ニップを通過した記録シートは、中間転写ベルト２５から離間して、紙搬送ベルト２９のおもて面に保持されながら、その無端移動に伴って定着装置３４へと搬送される。
【００３６】
２次転写ニップを通過した中間転写ベルト２５の表面には、２次転写ニップで記録シートに転写されなかった転写残トナーが付着している。この転写残トナーは、中間転写ベルト２５に当接するベルトクリーニング装置によって掻き取り除去される。
【００３７】
定着装置３４に搬送された記録シートは、定着装置３４内における加圧や加熱によってフルカラー画像が定着させしめられた後、定着装置３４から排紙ローラ対３５に送られた後、機外へと排出される。
【００３８】
図２において、紙搬送ユニット２８および定着装置３４の下には、スイッチバック装置３６が配設されている。これにより、片面に対する画像定着処理を終えた記録シートが、切換爪で記録シートの進路を記録シート反転装置側に切り換えられ、そこで反転されて再び２次転写転写ニップに進入する。そして、もう片面にも画像の２次転写処理と定着処理とが施された後、排紙トレイ上に排紙される。
【００３９】
画像形成部１の上に固定されたスキャナ１５０は、移動照射部１５２を有している。移動照射部１５２は、原稿ＭＳに接触するようにスキャナ１５０のケーシング上壁に固定された図示しない第２コンタクトガラスの直下に配設されている。光源としてのＬＥＤアレイや、反射ミラーなどからなる光学系を具備する移動照射部１５２は、図１中左右方向である副走査方向に移動することができる。そして、図２中左側から右側に移動していく過程で、ＬＥＤアレイから発した光を第２コンタクトガラス上に載置された図示しない原稿で反射させた後、反射ミラーを経由させて、スキャナ本体に固定された画像センサーとしてのＣＣＤ１５３に受光させる。
【００４０】
なお、移動照射部１５２は、図示の位置よりも少し左側の位置に移動して、スキャナ１５０のケーシング上壁に固定された図示しない第１コンタクトガラスの直下に位置することも可能である。
【００４１】
スキャナ１５０の上に配設されたＡＤＦ５１は、本体カバー５２に、読取前の原稿ＭＳを載置するための原稿載置台５３を保持している。加えて、シート部材としての原稿ＭＳを搬送するための搬送ユニット５４、読取後の原稿ＭＳをスタックするための原稿スタック台５５なども保持している。そして、図５に示されるように、スキャナ１５０に固定された蝶番１５９によって上下方向に揺動可能に支持されている。そして、その揺動によって開閉扉のような動きをとり、開かれた状態でスキャナ１５０の上面の第１コンタクトガラス１５４や第２コンタクトガラス１５５を露出させる。
【００４２】
原稿束の片隅を綴じた本などの片綴じ原稿の場合には、原稿を１枚ずつ分離することができないため、ＡＤＦによる搬送を行うことができない。そこで、片綴じ原稿の場合には、ＡＤＦ５１を図５に示されるように開いた後、読み取らせたいページが見開かれた片綴じ原稿を下向きにして第２コンタクトガラス１５５上に載せた後、ＡＤＦを閉じる。そして、図示しないコピースタートボタンを押す。すると、スキャナ１５０の移動照射部（１５２）は、第１コンタクトガラス１５４の直下の位置をホームポジションにしており、読取待機中にはそのホームポジションで停止している。
【００４３】
コピースタートボタンが押されると、移動照射部（１５２）がホームポジションから第２コンタクトガラス１５５の直下に向けて移動し始める。そして、第２コンタクトガラス１５５の図５中における左側端部から右側端部に向けて移動していく。このとき、移動照射部（１５２）は、ＬＥＤアレイから発した光を原稿面で反射させて、反射光をＣＣＤ（１５３）に向けて導く。これにより、原稿の画像がＣＣＤによって原稿の先端側（副走査方向の上流側）から後端側に向けて順次読み取られていく。なお、ＡＤＦ５１は、原稿台たる第２コンタクトガラス１５５上に載置された原稿を第２コンタクトガラス１５５に向けて押さえ付ける原稿押さえ手段として機能している。
【００４４】
原稿が互いに独立した複数の原稿ＭＳを単に積み重ねた原稿束である場合には、その原稿ＭＳをＡＤＦ５１によって１枚ずつ自動搬送しながら、その画像をスキャナ１５０に順次読み取らせていくことができる。この場合、操作者は原稿束を原稿載置台５３上にセットした後、図示しないコピースタートボタンを押す。すると、ＡＤＦ５１が、原稿載置台５３上に載置された原稿束の原稿ＭＳを上から順に搬送ユニット５４内に送り、それを反転させながら原稿スタック台５５に向けて搬送する。この搬送の過程で、原稿ＭＳを反転させながらスキャナ１５０の第１コンタクトガラス１５４の真上に通す。これにより、原稿ＭＳの第１面の画像が上述したホームポジションで停止したままの状態の移動照射部（１５２）によって走査されてＣＣＤ（１５３）に読み取られる。
【００４５】
なお、図５において、ＡＤＦ５１とスキャナ１５０とを具備する画像読取ユニット５０は、ＡＤＦ５１の開閉角度を検知するロータリーエンコーダー等からなる開閉センサー１５７を有している。以下、ＡＤＦ５１の開閉角度について、ＡＤＦ５１がスキャナ１５０の第２コンタクトガラス１５５に接触して第２コンタクトガラス１５５を完全に覆う状態の開閉角度を０［°］として説明する。また、ＡＤＦ５１がほぼ鉛直方向に延在する姿勢になるまで開かれた状態の開閉角度を９０［°］として説明する。
【００４６】
図６は、移動照射部（１５２）に搭載された光源としてのＬＥＤアレイ１５２ａを示す斜視図である。図示のように、ＬＥＤアレイ１５２ａは、分割光源たる複数のＬＥＤ素子１５２ａ’を具備している。これらＬＥＤ素子１５２ａ’は、第１コンタクトガラス（１５４）の表面に沿いつつ、移動照射部（１５２）の移動方向に直交する方向である主走査方向に沿って一直線状に並んでいる。スキャナ１５０は、原稿（ＭＳ）の画像を読み取るときには、ＬＥＤアレイ１５２ａの全てのＬＥＤ素子１５２ａ’を点灯させた状態で移動照射部（１５２）を原稿（ＭＳ）の先端側から後端側に向けて移動させる。
【００４７】
図７は、第２コンタクトガラス１５５上に載置される原稿の位置と、原稿のサイズと、ＬＥＤアレイ１５２ａの点灯ブロックとを説明するための平面模式図である。同図は、第２コンタクトガラス１５５を鉛直方向の上方から示しており、第２コンタクトガラス１５５の下に、移動照射部１５２、副走査サイズセンサー１６１などが配設されている。
【００４８】
同図において、実線の枠で囲まれたＡ５、Ｂ５、Ａ４、Ｂ４、Ａ３という文字は、それぞれ原稿の定型サイズを示している。また、実線の枠で囲まれた数字は、それぞれ原稿の寸法を示している。
【００４９】
第２コンタクトガラス１５５は、自らの平面の短手方向を原稿読取の際の原稿走査における主走査方向に沿わせつつ、長手方向を副走査方向に沿わせる姿勢で配設されている。そして、移動照射部１５２は、その長手方向を主走査方向に沿わせた姿勢で配設されており、図示しない移動機構によって副走査方向に移動することが可能になっている。つまり、移動照射部１５２は、第２コンタクトガラス１５５の長手方向に沿って往復移動することが可能である。第２コンタクトガラス１５５上に載置された原稿の画像を読み取る際には、移動照射部１５２は、副走査方向において、図中の左側から右側に向けて移動する。以下、原稿を読み取る際の副走査方向における図中の左側を読取時上流側という。また、図中の右側を読取時下流側という。
【００５０】
実施形態に係る複写機では、図中の太矢印の先端位置を原稿基準位置としている。この原稿基準位置は、第２コンタクトガラス１５５の２次元平面上にある４つのコーナーのうち、１つのコーナーと同じところに位置している。そして、このコーナーは、第２コンタクトガラス１５５の副走査方向における全域のうち、読取時の副走査方向の上流端に存在している。
【００５１】
図８は、実施形態に係る複写機のスキャナ（１５０）における電気回路の一部を示すブロック図である。同図において、制御手段としての読取制御部１７０は、図示しないＣＰＵ（Central Processing Unit）、ＲＡＭ（Random Access Memory）、ＲＯＭ（Read Only Memory）などからなる。読取制御部１７０には、開閉センサー１５７、副走査サイズセンサー１６１、ＬＥＤ駆動回路１７２、モーター駆動回路１７３、ホームポジションセンサー１７５などが接続されている。同図に示される開閉センサー１５７、ＬＥＤアレイ１５２ａ、ＣＣＤ１５３の役割については、既に述べた通りであるので説明を省略する。
【００５２】
ホームポジションセンサー１７５は、透過型フォトセンサー等からなり、移動照射部（１５２）についてホームポジションに位置しているか否かを検知して、その検知結果を読取制御部１７０に出力するものである。また、ＬＥＤ駆動回路１７２は、読取制御部１７０からの信号に基づいて、ＬＥＤアレイ１５２ａの複数のＬＥＤ素子における点灯の入切を後述するブロック毎に制御するものである。また、移動モーター１７４は、移動照射部（１５２）を副走査方向に移動させるためのものであって、ステッピングモーターからなっている。この移動モーター１７４に対する励磁はモーター駆動回路１７３によって制御されるが、駆動量や駆動方向などについては読取制御部１７０によって制御される。
【００５３】
読取待機時には、移動照射部１５２は上述したホームポジションに位置している。図において、このホームポジションは第２コンタクトガラス１５５よりも図中の左側の位置であり、図示されていない。通常は、図示しないＡＤＦ（５１）が完全に閉じられていて第２コンタクトガラス１５５を覆っている状態になっている。操作者は、第２コンタクトガラス１５５の上に原稿を載置するためには、ＡＤＦ（５１）を開く必要がある。操作者によってＡＤＦ（５１）が開かれ始めて、ＡＤＦ（５１）の開閉角度がそれまでの０［°］から上昇して３０［°］まで到達すると、スキャナ１５０に搭載された読取制御部（１７０）は、ＡＤＦ（５１）の開操作がなされ始めたことを認識する。そして、その認識に基づいて、移動照射部１５２をホームポジションから図中の原稿サイズ検知位置ＤＰまで移動させる。なお、本明細書では、移動照射部１５２の副走査方向における読取時上流側の端を、移動照射部１５２の副走査方向の位置基準として説明している。このため、原稿サイズ検知位置ＤＰに移動した移動照射部１５２は、その副走査方向における読取時上流側の端を図中の原稿サイズ検知位置ＤＰに位置させる。同図では、原稿サイズ検知位置ＤＰよりも下流側に位置している状態の移動照射部１５２を示している。
【００５４】
図７において、操作者は、どのようなサイズの原稿であっても、図示のように、その原稿の副走査方向における先端に存在する角を、第２コンタクトガラス１５５の原稿基準位置に位置させる状態で、原稿を第２コンタクトガラス１５５上に載置する。
【００５５】
移動照射部１５２のＬＥＤアレイ１５２ａにおける複数のＬＥＤ素子１５２ａ’は、複数のブロック毎に点灯のオンオフが個別に制御されるようになっている。原稿基準を基準にしてＡ５横、又はＡ４縦の姿勢におかれた原稿の主走査方向の前側端部に対向する位置が第１ブロックＢ１である。原稿の主走査方向の前側端部は、具体的には、その原稿の主走査方向における前端と、その原稿よりも１サイズ小さな原稿の主走査方向における前端との間の領域である。
【００５６】
主走査方向において第１ブロックＢ１に位置するＬＥＤ素子１５２ａ’は、他のＬＥＤ素子１５２ａ’から独立して、電源のオンオフがなされる。また、原稿基準を基準にしてＢ５横、又はＢ４縦の姿勢におかれた原稿の主走査方向の前側端部に対向する位置が第２ブロックＢ２である。主走査方向において第２ブロックＢ２に位置するＬＥＤ素子１５２ａ’も、他のＬＥＤ素子１５２ａ’から独立して、電源のオンオフがなされる。また、原稿基準を基準にしてＡ４横、又はＡ３縦の姿勢におかれた原稿の主走査方向の前側端部に対向する位置が第３ブロックＢ３である。主走査方向において第３ブロックＢ３に位置するＬＥＤ素子１５２ａ’も、他のＬＥＤ素子１５２ａ’から独立して、電源のオンオフがなされる。また、第１ブロックＢ１、第２ブロックＢ２、及び第３ブロックＢ３とは異なる位置は、基本ブロックである。基本ブロックに位置するＬＥＤ素子１５２ａ’も、他のＬＥＤ素子１５２ａ’から独立して、電源のオンオフがなされる。
【００５７】
副走査サイズセンサー１６１は、反射型フォトセンサーからなる。そして、第２コンタクトガラス１５５の真下に位置した状態で、第２コンタクトガラス１５５に向けて光を照射する。ＡＤＦ（５１）が開かれた後の状態では、副走査サイズセンサー１６１の発光素子から出射された光が、第２コンタクトガラス１５５を通じて鉛直方向の真上に向けて進んでいく。このため、副走査サイズセンサー１６１は、自らの発光素子から発した光を反射光として受光素子で検知することがない。一方、第２コンタクトガラス１５５の平面上における全域のうち、副走査サイズセンサー１６１の真上の領域に原稿が置かれると、副走査サイズセンサー１６１の発光素子から出射された光が原稿面で反射して反射光となる。そして、この反射光が副走査サイズセンサー１６１の受光素子に受光される。このように、副走査サイズセンサー１６１は、自らの真上に原稿が存在している場合には、自らの受光素子によって所定の閾値を超える量の光を受光する（原稿を検知する）。これに対し、自らの真上に原稿が存在していない場合には、受光素子による受光量が閾値を下回る（原稿を検知しない）。
【００５８】
原稿基準を基準にして第２コンタクトガラス１５５上に載置される原稿は、そのサイズと姿勢との組み合わせに応じて、次に説明する２つの状態の何れかの状態になる。即ち、第１の状態は、原稿の副走査方向における読取時下流側の端部を、副走査サイズセンサー１６１の真上に位置させる状態である。第２の状態は、原稿が副走査方向における読取時下流側の端部を、副走査サイズセンサー１６１の真上に位置させない状態である。この状態では、副走査サイズセンサー１６１が原稿を検知しない。
【００５９】
原稿サイズ検知位置ＤＰに位置している移動照射部１５２は、原稿が第２コンタクトガラス１５５上に載置されると、その原稿の副走査方向における読取時上流側の端部に対向する。つまり、原稿サイズ検知位置ＤＰは、移動照射部１５２に対し、第２コンタクトガラス１５５上に載置された原稿の読取時上流側の端部を対向させる位置になっている。
【００６０】
操作者が第２コンタクトガラス１５５の上に原稿を載置した後、図示しないＡＤＦ（５１）を閉じ始めると、ＡＤＦ（５１）の開閉角度が９０［°］から低下し始める。そして、やがて開閉センサー（１５７）による開閉角度の検知結果が７０［°］まで低下する。読取制御部（１７０）は、開閉角度が７０［°］まで低下すると、ＡＤＦ（５１）の閉操作がなされ始めたと判断する。そして、その判断に基づいて、原稿の載置態様を特定するための載置態様特定処理を開始する。
【００６１】
載置態様特定処理を開始した読取制御部（１７０）は、まず、ＬＥＤアレイ１５２ａにおける全てのＬＥＤ素子１５２ａ’のうち、第１ブロックＢ１、第２ブロックＢ２、及び第３ブロックＢ３のＬＥＤ素子１５２ａ’だけを点灯させる。換言すると、基本ブロック以外のＬＥＤ素子１５２ａを点灯させる。この点灯条件でＣＣＤ（１５３）による画像の読み取りを行う。そして、得られた読取画像のうち、第１ブロックＢ１に対応する画像箇所の明度、第２ブロックＢ２に対応する画像箇所の明度、及び第３ブロックＢ３に対応する画像箇所の明度に基づいて、それらブロック上における原稿の存否をそれぞれ判断する。その後、その判断結果と、副走査サイズセンサー１６１による原稿の検知結果とに基づいて、第２コンタクトガラス１５５上における原稿の載置態様を特定する。このような載置態様特定処理を、ＡＤＦ（５１）が完全に閉じられるまでに完了する。
【００６２】
次に、実施形態に係る複写機の特徴的な構成について説明する。
図９は、ＬＥＤアレイ１５２ａ及び第２コンタクトガラス１５５を示す断面図である。この断面図は、ＬＥＤアレイ１５２ａの縦断面を示すとともに、第２コンタクトガラス１５５の横断面を示している。同図において、点線矢印は、ＬＥＤ素子１５２ａ’の光軸に沿った光の進行方向を示している。以下、点線矢印で示される光の進行方向を光の向きという。図示のように、ＬＥＤアレイ１５２ａにおける全てのＬＥＤ素子１５２ａ’のうち、第１ブロックＢ１、第２ブロックＢ２、及び第３ブロックＢ３に存在しているＬＥＤ素子１５２ａ’は、他のＬＥＤ素子１５２ａ’とは異なり、傾いた姿勢で配設されている。より詳しくは、図示のように、光の向きを鉛直方向上方よりも複写機本体の背面側（後側）に傾ける姿勢で配設されている。このようにして傾いた姿勢で配設されるＬＥＤ素子１５２ａ’は、上述したように、載置態様特定処理で点灯されるＬＥＤ素子１５２ａ’である。参考までに、傾いた姿勢で配設されるＬＥＤ素子１５２ａ’と、真っ直ぐな姿勢で配設されるＬＥＤ素子１５２ａ’とを拡大して図１０に示す。
【００６３】
ＬＥＤ素子１５２ａ’などの分割光源には、少なからず指向性がある。図１１は、ＬＥＤ素子１５２ａ’を鉛直方向の真上に向けた場合における光の分布を示す模式図である。図示のようにＬＥＤ素子１５２ａ’から発せられる光の量は、光軸の位置で最も多くなる。光軸に直交する方向において、光軸から遠ざかるほど、光の量が少なくなっていく。ＬＥＤ素子１５２ａ’を鉛直方向の真上に向けた場合には、図示のように、主走査方向において、ＬＥＤ素子１５２ａ’よりも後側に分散する光の量と、ＬＥＤ素子１５２ａ’よりも前側に分散する光の量とが互いに同じになる。図中のＣは、複写機の前方に立っている図示しないユーザーの目（距離Ｌ）に届く光の量（光の強さ）を示している。
【００６４】
図１２は、実施形態に係るプリンタと同様に、ＬＥＤ素子１５２ａ’を鉛直方向の真上よりも背面側（後側）に傾けた場合における光の分布を示す模式図である。図示のように、ＬＥＤ素子１５２ａ’を真上よりも背面側に傾けた場合には、主走査方向において、ＬＥＤ素子１５２ａ’よりも前側に分散する光の量が、ＬＥＤ素子１５２ａ’よりも後側に分散する光の量よりも少なくなる。このため、複写機の前方に立っている図示しないユーザーの目（距離Ｌ）に届く光の量がより少なくなって、ユーザーの眩しさが軽減される。
【００６５】
このように、本複写機においては、第１ブロックＢ１、第２ブロックＢ２、及び第３ブロックＢ３に存在するＬＥＤ素子１５２ａ’を真上よりも背面側に傾けたことで、載置態様特定処理の実施時にユーザーの目に届いてしまう光の量を少なくする。これにより、眩しさによるユーザーの不快感をより軽減することができる。
【００６６】
なお、複写機の前側や後側など、複写機を中心とする位置関係については、次のようにして特定することが可能である。即ち、ＡＤＦ５１などの原稿押さえ手段が、図５に示されるよう、蝶番１５９によって揺動可能になっている構成では、原稿押さえ手段の開閉操作性から、ユーザーは複写機（スキャナ）に対し、蝶番１５９が設けられている側とは反対側に立たざるを得なくなる。このため、蝶番１５９や揺動軸などを中心にして原稿押さえ手段を揺動させる構成では、複写機（スキャナ）に対して原稿押さえ手段の揺動軸の存在する側が背面側（後側）であり、その反対側がユーザーの立つ前側となる。また、原稿押さえ手段が揺動せずに、原稿面に対して垂直に移動する構成では、ユーザーは、原稿押さえ手段の操作性ではなく、操作パネルの操作性を重視して、操作パネルの前に立つことになる。このため、操作パネルの存在する側が前側になり、その反対側が背面側となる。
【００６７】
本複写機では、第１ブロックＢ１、第２ブロックＢ２、及び第３ブロックＢ３に存在するＬＥＤ素子１５２ａの鉛直方向上向きからの傾き角度として、半値角θ１／２（指向角半値幅）以上の角度を採用している。半値角θ１／２は、図１３の配光分布図に示されるように、光量（光度相対値）が、光軸位置（０°）の半分になる位置の角度である。よって、本複写機では、第１ブロックＢ１、第２ブロックＢ２、及び第３ブロックＢ３に存在するＬＥＤ素子１５２ａを傾けない場合に比べて、載置態様特定処理におけるユーザーの眩しさ感を半分以下にすることができる。
【００６８】
図１４は、載置態様特定処理において読み取られた画像の明度と主走査方向の位置との関係を示すグラフである。このグラフは、第２コンタクトガラス１５５上にＡ５サイズの原稿が横長の姿勢（長手方向を主走査方向に延在させる姿勢）で載置された場合における明度と位置との関係を示している。第２コンタクトガラス１５５上にＡ５サイズの原稿が横長の姿勢で配設された場合、第１ブロックＢ１の真上に原稿の前側端部が存在するが、第２ブロックＢ２や第３ブロックＢ３の真上には原稿が存在しない。このため、第１ブロックＢ１のＬＥＤ素子１５２ａ’から発せられた光は、原稿の前側端部で反射した後、ＣＣＤ１５３に到達して白色画像として読み取られる。
【００６９】
一方、第２ブロックＢ２のＬＥＤ素子１５２ａ’から発せられた光や、第３ブロックＢ３のＬＥＤ素子１５２ａ’から発せられた光は、原稿面では反射しない。第２コンタクトガラス１５５を通過した後、室内の天井の方に進むか、ＡＤＦの裏面のプラテンカバーで反射した後に複写機の前方に進むことから、ＣＣＤ１５３には到達しない。このため、図示のように、主走査方向におけるブロックＢ１の位置では明度の高い白色画像が読み取られるが、ブロックＢ２やブロックＢ３の位置では、明度のない黒色画像が読み取られる。つまり、ブロックＢ１の位置だけ、読取画像の明度が閾値を超えることになる。
【００７０】
読取制御部（１７０）は、載置態様特定処理において、読み取られた画像の明度が閾値を超えるか否かに基づいて、ブロックＢ１、ブロックＢ２、ブロックＢ３についてそれぞれ、その真上における原稿の存否を判定する。そして、その判定結果と、副走査サイズセンサー１６１による原稿の存否の検知結果と、次の表１で示されるデータテーブルとに基づいて、第２コンタクトガラス１５５上に載置された原稿の載置態様を特定する。なお、原稿の載置態様が特定されると、同時に原稿の主走査方向の長さが特定される。即ち、読取制御部は、原稿の載置態様を特定することで、主走査方向の長さを特定していることになる。
【表１】
2014179826.tif 000003
【００７１】
図１５は、スキャナ１５０を上方から示す平面図である。同図では、移動照射部１５２が原稿サイズ検知位置ＤＰに位置している。第１コンタクトガラス１５４や第２コンタクトガラス１５５は、それぞれ筺体の上壁に個別に設けられた開口を覆うように配設されている。それらコンタクトガラスは透明であるため、前述の開口を通じて筺体の内部の様子を透かせて見せている。第１コンタクトガラス１５４や第２コンタクトガラス１５５を配設するために筺体の上壁に設けられた２つの開口の間には、上壁を構成する板材が介在している。そして、この板材の裏面には、白色部材としての白色板１９０が貼り付けられている。この白色板１９０はその表面の白色ベタ像をＣＣＤ（１５３）に読み取らせるためのものである。
【００７２】
第２コンタクトガラス１５５上に図示しない原稿を載置した操作者が図示しないＡＤＦ（５１）を閉じ始めると、スキャナ１５０の読取制御部（１７０）は、上述した載置態様特定処理を開始する。この載置態様特定処理は、一般的な速度でＡＤＦが閉じられる場合におけるＡＤＦの完全閉動作に要する時間よりも短い時間で行われる。このため、操作者によってＡＤＦが一般的な速度で閉じられた場合には、ＡＤＦが完全に閉じられる前に載置態様特定処理が完了する。その後、読取制御部は、移動照射部１５２を移動モーター（１７４）の逆駆動によって図中矢印Ａ方向に移動させて第１コンタクトガラス１５４の直下のホームポジションＨＰに位置させる。その直後に、原稿画像の読み取りのために、ＬＥＤアレイ１５２における全てのＬＥＤ素子を点灯させてから、移動照射部１５２を移動モーターの正転駆動によって図中矢印Ｂ方向に移動させる。この際、移動照射部１５２を白色板１９０の直下に位置させたタイミングで、ＣＣＤ（１５３）の複数の撮像素子によって白色板１９０の白色ベタ像を読み取らせながら、それら撮像素子からの出力に基づいてシェーディング補正データを構築する。以下、このシェーディング補正データを原稿画像用シェーディングデータという。原稿画像用シェーディングデータを構築したら、移動照射部１５２を原稿読取開始位置ＳＰまで移動させたタイミングで、原稿画像の読み取り処理を開始する。そして、複数の撮像素子からの出力を原稿画像用シェーディングデータに基づいてシェーディング補正しながら、補正後の出力値をそれぞれ記憶する。その後、原稿の後端部までの出力値を取得したら、それら出力値に基づいて原稿画像の画像情報を構築する。
【００７３】
図１６は、読取制御部１７０の内部構成を示すブロック図である。読取制御部１７０は、ＣＰＵ（Central Processing Unit）１７０ａ、記憶手段たるＲＡＭ（Random Access Memory）１７０ｂ、記憶手段たるＲＯＭ（Read Only Memory）１７０ｃなどを有している。また、画像処理回路１７０ｄ、シェーディング補正回路１７０ｅ、Ａ／Ｄ変換回路１７０ｆなども有している。Ａ／Ｄ変換回路１７０ｆは、ＣＣＤ１５３の複数の撮像素子から出力されるアナログの電圧値をそれぞれ個別にデジタルの値に変換し、変換後の値（以下、デジタル出力値という）をシェーディング補正回路１７０ｅに出力するものである。シェーディング補正回路１７０ｅは、図示しない記憶手段たる記憶回路を具備しており、その記憶回路の中にシェーディング補正データを記憶している。そして、Ａ／Ｄ変換回路１７０ｆから受信した、複数の撮像素子についてのデジタル出力値をシェーディング補正した後に、それぞれの補正後の出力値（以下、Ｓ補正後出力値という）画像処理回路１７０ｄに出力する。画像処理回路１７０ｄは、複数の撮像素子についてそれぞれ個別にシェーディング補正回路１７０ｅから出力されるＳ補正後出力値に基づいて、原稿画像の画像情報を構築する（シェーディング補正）。
【００７４】
このようにシェーディング補正を行うことで、第１ブロックＢ１、第２ブロックＢ２、及び第３ブロックＢ３のＬＥＤ素子１５２ａを傾けていても、画像の明度を正しく読み取ることができる。
【００７５】
なお、図１０において、ＬＥＤアレイ１５２ａの表面は、ガラスなどの透明な材料からなる導光層Ｌａで被覆されている。傾斜した姿勢のＬＥＤ素子１５２ａから発せられた光を、透明な材料からなる基層Ｌｂと、導光層１５２ｂとの界面に通す際に屈折させないように、図１７に示されるような構成を採用してもよい。この構成では、導光層Ｌａの主走査方向における全域のうち、傾斜した姿勢のＬＥＤ素子１５２ａ’と対向する領域を、そのＬＥＤ素子１５２ａ’の表面と同じ角度で傾斜させ、その傾斜面をＬＥＤ素子１５２ａ’の表面に密着させている。かかる構成では、光の屈折を抑えることができる。
【００７６】
また、図１８に示されるように、通常の画像読取処理で用いるＬＥＤ素子１５２ａ’とは別に、載置態様特定処理のためだけに用いるＬＥＤ素子１５２”を、ＬＥＤアレイ１５２に設けてもよい。この場合、通常の画像読取処理で用いるＬＥＤ素子１５２ａ’については、全て鉛直方向上向きの姿勢で配設することにより、傾けることに起因する読取画質の劣化の発生を回避することができる。
【００７７】
また、ＡＤＦ（５１）を閉じる速度はユーザーによって個人差があるため、ＡＤＦの角度ではなく、ＡＤＦが閉じられ始めてからの経過時間に基づいて載置態様特定処理を開始させるようにしてもよい。この場合、経過時間をユーザーの入力操作によって自由に設定できるようにしてもよい。
【００７８】
また、載置態様特定処理において、移動照射部１５２を原稿サイズ検知位置ＤＰからホームポジションＨＰに向けて移動させながら、ＣＣＤ１５３による画像読取を行わせるようにしてもよい。この場合、各ブロックのＬＥＤ素子１５２ａ’を処理開始時に偶然に原稿の黒ベタ画像に対向させていたとしても、処理の実施中に、移動照射部１５２の移動によって非画像部との対向位置に移動させて、画像の明度を閾値以上にすることが可能になる場合がある。これにより、原稿に黒ベタ画像が存在することによる原稿の存否の誤判定を低減することができる。
【００７９】
また、本複写機では、定型サイズとして、Ｂ５、Ａ５、Ｂ４、Ａ４、及びＡ３のサイズに対応するようになっているが、対応できる定型サイズの種類を更に多くしてもよい。この場合、基本ブロックとは別に点灯させるＬＥＤ素子１５２ａ’のブロック数を３つよりも増やすことで、より多くの種類の定型サイズでも区別することが可能になる。
【００８０】
また、載置態様特定処理において、各ブロックのＬＥＤ素子１５２ａ’の点灯と、原稿の存否の判定とを、時間をずらして個別に行うようにしてもよい。例えば、まず、第１ブロックＢ１のＬＥＤ素子１５２ａ’だけを点灯させ、ＣＣＤ１５３によって読み取られた画像における第１ブロックＢ１に対応する箇所の明度に基づいて、第１ブロックＢ１上での原稿の存否を判定する。そして、原稿なしという判定結果になった場合には、その判定結果と、副走査サイズセンサー１６１による原稿の存否の判定結果と、表１のデータテーブルとに基づいて、第２コンタクトガラス１５５上の原稿の載置態様を特定する。これに対し、原稿ありという判定結果になった場合には、次に、第２ブロックＢ２のＬＥＤ素子１５２ａ’だけを点灯させる。そして、ＣＣＤ１５３によって読み取られた画像における第２ブロックＢ２に対応する箇所の明度に基づいて、第２ブロックＢ２上での原稿の存否を判定する。これにより、原稿なしという判定結果になった場合には、これまでの判定結果と、副走査サイズセンサー１６１による原稿の存否の判定結果と、表１のデータテーブルとに基づいて、第２コンタクトガラス１５５上の原稿の載置態様を特定する。これに対し、原稿ありという判定結果になった場合には、次に、第３ブロックＢ３のＬＥＤ素子１５２ａ’だけを点灯させる。そして、ＣＣＤ１５３によって読み取られた画像における第３ブロックＢ３に対応する箇所の明度に基づいて、第３ブロックＢ３上での原稿の存否を判定する。その後、これまでの判定結果と、副走査サイズセンサー１６１による原稿の存否の判定結果と、表１のデータテーブルとに基づいて、第２コンタクトガラス１５５上の原稿の載置態様を特定する。かかる構成では、載置態様特定処理において、第１ブロックＢ１、第２ブロックＢ２、第差ブロックＢ３のＬＥＤ素子１５２ａ’を同時に点灯させずに、順に点灯させることで、光の漏れ量をより低減して、ユーザーの眩しさ感をより軽減することができる。
【００８１】
以上に説明したものは一例であり、本発明は、次の態様毎に特有の効果を奏する。
［態様Ａ］
原稿を載置する原稿台（例えば第２コンタクトガラス１５５）と、前記原稿台の表面に向けて原稿を押さえる原稿押さえ手段（例えばＡＤＦ５１）と、前記原稿台の表面に沿った主走査方向に並ぶ複数の分割光源（例えばＬＥＤ素子１５２ａ’）を具備する光源（例えばＬＥＤアレイ１５２ａ）のそれぞれの分割光源から発した光を前記原稿台上の原稿に向けて照射して原稿面での反射光を得ながら、前記表面に沿いつつ主走査方向に直交する方向である副走査方向に移動する移動照射手段（例えば移動照射部１５２）と、前記移動照射手段からの反射光を受光して原稿の画像を読み取る画像センサー（例えばＣＣＤ１５３）と、複数の前記分割光源のうち、一部だけを点灯させながら前記画像センサーによる受光量を取得した結果に基づいて、前記原稿の主走査方向の長さを特定するための長さ特定処理を実施する制御手段（例えば読取制御部１７０）とを有する原稿読取装置（例えばスキャナ１５０）において、前記光源における複数の前記分割光源のうち、前記長さ特定処理で点灯される分割光源の向きを、鉛直方向上方よりも装置本体の背面側に傾けたことを特徴とするものである。
【００８２】
［態様Ｂ］
態様Ｂは、態様Ａにおいて、前記長さ特定処理で点灯される前記分割光源の向きの鉛直方向上方に対する傾き角度を、半値角以上にしたことを特徴とするものである。
【００８３】
［態様Ｃ］
態様Ｃは、態様Ａ又はＢであって、鉛直方向上方によりも装置本体の背面側に傾けられる前記分割光源が、前記原稿台に載置された定型サイズの原稿における主走査方向の端部に対向する分割光源であることを特徴とするものである。
【００８４】
［態様Ｄ］
態様Ｄは、原稿の画像を読み取る原稿読取装置と、前記原稿読取装置による画像の読取結果に基づいて記録部材に画像を形成する画像形成手段（例えば画像形成部１）とを備える画像形成装置において、前記原稿読取装置として、態様Ａ〜Ｃの何れかを用いたことを特徴とするものである。
【符号の説明】
【００８５】
１：画像形成部（画像形成手段）
５１：ＡＤＦ（原稿押さえ手段）
１５０：スキャナ（原稿読取装置）
１５２：移動照射部（移動走者手段）
１５２ａ：ＬＥＤアレイ（光源）
１５２ａ’：ＬＥＤ素子（分割光源）
１５３：ＣＣＤ（画像センサー）
１５５：第２コンタクトガラス（原稿台）
１７０：読取制御部（制御手段）
【先行技術文献】
【特許文献】
【００８６】
【特許文献１】特許第４００６４１７号公報
【図１】
2014179826.tif 000004
【図２】
2014179826.tif 000005
【図３】
2014179826.tif 000006
【図４】
2014179826.tif 000007
【図５】
2014179826.tif 000008
【図６】
2014179826.tif 000009
【図７】
2014179826.tif 000010
【図８】
2014179826.tif 000011
【図９】
2014179826.tif 000012
【図１０】
2014179826.tif 000013
【図１１】
2014179826.tif 000014
【図１２】
2014179826.tif 000015
【図１３】
2014179826.tif 000016
【図１４】
2014179826.tif 000017
【図１５】
2014179826.tif 000018
【図１６】
2014179826.tif 000019
【図１７】
2014179826.tif 000020
【図１８】
2014179826.tif 000021